(57)【要約】【課題】調整変圧器の一次側電圧を、二次側電圧と一次二次間の差電圧を用いて算出する際に、演算負荷の低減と精度向上を両立できなかった。【解決手段】一次側電圧算出装置２は、二次側線間電圧を測定する線間電圧測定部２１、二次側線間電圧から二次側相電圧を算出する相電圧算出部２２、一次側と二次側の相電圧の差電圧を測定する差電圧測定部２３、二次側相電圧と差電圧の位相差を測定する位相差測定部２４、差電圧と位相差を正規化する正規化部２５、正規化後の差電圧を用い、通電タップに応じた一次側ターン数と二次側ターン数の差に関する比であるターン数差比を特定する特定部２６、二次側線間電圧とターン数差比と正規化後の位相差を用いて一次側線間電圧を算出する一次側電圧算出部２７を備える。このようにして、一次側線間電圧の算出において、演算負荷の低減と精度向上を両立させることができる。【選択図】図１Ａ
2018129920.tif 000002
【特許請求の範囲】
【請求項１】
複数のタップを有する調整変圧器の一次側線間電圧を算出する一次側電圧算出装置であって、
前記調整変圧器の複数の二次側線間電圧を測定する線間電圧測定部と、
前記複数の二次側線間電圧を用いて、二次側相電圧を算出する相電圧算出部と、
一次側相電圧と二次側相電圧との差である差電圧を測定する差電圧測定部と、
前記相電圧算出部によって算出された二次側相電圧と、前記差電圧測定部によって測定された差電圧との位相差を測定する位相差測定部と、
前記差電圧の大きさを線間電圧に変換した結果が、前記調整変圧器のタップ間電圧となるように前記差電圧に関する正規化を行い、前記位相差が０°または１８０°となるように前記位相差の正規化を行う正規化部と、
前記差電圧に関する正規化後の値を用いて、前記調整変圧器の通電タップに応じた一次側ターン数と二次側ターン数との差の絶対値の二次側ターン数に対する比であるターン数差比を特定する特定部と、
二次側線間電圧と、前記特定部によって特定されたターン数差比と、前記正規化後の位相差とを用いて、一次側線間電圧を算出する一次側電圧算出部と、を備えた一次側電圧算出装置。
【請求項２】
前記線間電圧測定部は、３つの二次側線間電圧を測定し、
前記相電圧算出部は、複数の相の二次側相電圧を算出し、
前記差電圧測定部は、複数の相の差電圧を測定し、
前記位相差測定部は、複数の相の位相差を測定し、
前記正規化部は、複数の相について正規化を行い、
正規化の結果が相間で異なる場合に、異常を検知する異常検知部と、
前記異常検知部によって異常が検知された場合に、当該異常の検知に関する出力を行う出力部と、をさらに備えた、請求項１記載の一次側電圧算出装置。
【請求項３】
二次側電流を測定する電流測定部と、
二次側電流と、前記特定部によって特定されたターン数差比と、前記正規化後の位相差とを用いて、一次側電流を算出する一次側電流算出部と、をさらに備えた、請求項１または請求項２記載の一次側電圧算出装置。
【請求項４】
請求項１から請求項３のいずれか記載の一次側電圧算出装置を備え、
一次側の電圧調整を行う場合には、前記一次側電圧算出装置によって算出された一次側線間電圧を用いる自動電圧調整器。
【発明の詳細な説明】
【技術分野】
【０００１】
本発明は、変圧器の二次側電圧、及び一次側電圧と二次側電圧との差を用いて、一次側電圧を算出する一次側電圧算出装置、及びその一次側電圧算出装置を備えた自動電圧調整器に関する。
【背景技術】
【０００２】
従来、配電系統において、系統の電圧を設定された範囲に保つために、配電用の自動電圧調整器（ＳＶＲ）が設置されている。その自動電圧調整器は、例えば、二次側の電圧に応じて調整変圧器の通電タップを切り替えることによって、電圧を自動調整するものである。なお、配電系統においては、電力の需給バランスをとるためや、停電を防止するためなどの観点から、複数の系統を連携させることが行われている。そのため、系統の切り替えが行われることにより、自動電圧調整器において、逆送電となることがある。したがって、順送時には二次側電圧を調整し、逆送時には一次側電圧を調整する完全逆送型ＳＶＲ（双方向電圧調整方式のＳＶＲ）も知られている。
【０００３】
そのような完全逆送型ＳＶＲでは、通常、計器用変圧器（ＶＴ）を用いて、一次側の電圧と二次側の電圧とのそれぞれを計測し、順送時には二次側電圧を用いて電圧を調整し、逆送時には一次側電圧を用いて電圧を調整することが行われていた。
なお、電圧調整とは異なる目的のため、二次側電圧、及び一次側電圧と二次側電圧との差を用いて、一次側電圧を算出する方法が知られている（特許文献１参照）。
【先行技術文献】
【特許文献】
【０００４】
【特許文献１】特開平１０−１１７４３８号公報
【発明の概要】
【発明が解決しようとする課題】
【０００５】
ここで、自動電圧調整器では、電圧調整のために線間電圧を用いている。一方、上記特許文献１では、一次側相電圧と、二次側相電圧との差を用いて一次側電圧を算出している。したがって、上記特許文献１に記載された技術を用いて一次側線間電圧を算出するためには、複数の相に関する電圧のベクトル演算が必要になる。そのベクトル演算において、誤差を小さくして精度を向上させるためには、演算負荷が大きくなるという問題がある。一方、演算負荷を小さくすると、誤差が増大してしまうという問題がある。
一般的に言えば、調整変圧器の一次側線間電圧を、二次側電圧、及び一次側電圧と二次側電圧との差を用いて算出する際に、演算負荷の低減と精度の向上とを両立させることができないという問題があった。
【０００６】
本発明は、上記問題点を解決するためになされたものであり、演算負荷を大きくすることなく、一次側線間電圧を高精度に算出することができる一次側電圧算出装置等を提供することを目的とする。
【課題を解決するための手段】
【０００７】
上記目的を達成するため、本発明による一次側電圧算出装置は、複数のタップを有する調整変圧器の一次側線間電圧を算出する一次側電圧算出装置であって、調整変圧器の複数の二次側線間電圧を測定する線間電圧測定部と、複数の二次側線間電圧を用いて、二次側相電圧を算出する相電圧算出部と、一次側相電圧と二次側相電圧との差である差電圧を測定する差電圧測定部と、相電圧算出部によって算出された二次側相電圧と、差電圧測定部によって測定された差電圧との位相差を測定する位相差測定部と、差電圧の大きさを線間電圧に変換した結果が、調整変圧器のタップ間電圧となるように差電圧に関する正規化を行い、位相差が０°または１８０°となるように位相差の正規化を行う正規化部と、差電圧に関する正規化後の値を用いて、調整変圧器の通電タップに応じた一次側ターン数と二次側ターン数との差の絶対値の二次側ターン数に対する比であるターン数差比を特定する特定部と、二次側線間電圧と、特定部によって特定されたターン数差比と、正規化後の位相差とを用いて、一次側線間電圧を算出する一次側電圧算出部と、を備えたものである。
このような構成により、高精度なベクトル演算を行わなくても、正規化を行うことによって一次側線間電圧を高精度に算出することができるようになる。したがって、一次側線間電圧の算出において、演算負荷の低減と精度の向上とを両立させることができる。
【０００８】
また、本発明による一次側電圧算出装置では、線間電圧測定部は、３つの二次側線間電圧を測定し、相電圧算出部は、複数の相の二次側相電圧を算出し、差電圧測定部は、複数の相の差電圧を測定し、位相差測定部は、複数の相の位相差を測定し、正規化部は、複数の相について正規化を行い、正規化の結果が相間で異なる場合に、異常を検知する異常検知部と、異常検知部によって異常が検知された場合に、異常の検知に関する出力を行う出力部と、をさらに備えてもよい。
このような構成により、正規化後の差電圧や位相差を用いて、調整変圧器等に関する異常を検知することもできるようになる。
【０００９】
また、本発明による一次側電圧算出装置では、二次側電流を測定する電流測定部と、二次側電流と、特定部によって特定されたターン数差比と、正規化後の位相差とを用いて、一次側電流を算出する一次側電流算出部と、をさらに備えてもよい。
このような構成により、二次側電流を用いて、一次側電流を算出することもできるようになる。
【００１０】
また、本発明による自動電圧調整器は、一次側電圧算出装置を備え、一次側の電圧調整を行う場合には、一次側電圧算出装置によって算出された一次側線間電圧を用いるものである。
【発明の効果】
【００１１】
本発明による一次側電圧算出装置等によれば、一次側線間電圧の算出において、演算負荷の低減と精度の向上とを両立させることができる。
【図面の簡単な説明】
【００１２】
【図１Ａ】本発明の実施の形態における自動電圧調整器の構成を示すブロック図
【図１Ｂ】同実施の形態における変形例１の自動電圧調整器の構成を示すブロック図
【図１Ｃ】同実施の形態における変形例２の自動電圧調整器の構成を示すブロック図
【図２Ａ】同実施の形態における一次側電圧算出装置の動作を示すフローチャート
【図２Ｂ】同実施の形態における変形例１の一次側電圧算出装置の動作を示すフローチャート
【図２Ｃ】同実施の形態における変形例２の一次側電圧算出装置の動作を示すフローチャート
【図３】同実施の形態における調整変圧器を示す図
【図４】同実施の形態におけるタップ切替器の構成の一例を示す図
【図５】同実施の形態における電圧の計測と電圧の算出とに関する説明図
【図６】同実施の形態における一次側電圧と二次側電圧とを示すベクトル図
【発明を実施するための形態】
【００１３】
以下、本発明による一次側電圧算出装置、及びその一次側電圧算出装置を備えた自動電圧調整器について、実施の形態を用いて説明する。なお、以下の実施の形態において、同じ符号を付した構成要素及びステップは同一または相当するものであり、再度の説明を省略することがある。本実施の形態による自動電圧調整器は、調整変圧器の一次側線間電圧を、二次側線間電圧、及び一次側相電圧と二次側相電圧との差を用いて算出する際に正規化を行う一次側電圧算出装置を備えたものである。
【００１４】
図１Ａは、本実施の形態による自動電圧調整器１の構成を示すブロック図である。本実施の形態による自動電圧調整器１は、調整変圧器１１と、タップ切替器１２と、タップ切替制御器１３と、判定部１４と、一次側電圧算出装置２とを備える。一次側電圧算出装置２は、調整変圧器１１の一次側線間電圧を算出するものであり、線間電圧測定部２１と、相電圧算出部２２と、差電圧測定部２３と、位相差測定部２４と、正規化部２５と、特定部２６と、一次側電圧算出部２７とを備える。なお、自動電圧調整器１は、順送時には二次側電圧を調整し、逆送時には一次側電圧を調整する完全逆送型ＳＶＲであってもよい。そして、自動電圧調整器１は、一次側の電圧調整時、すなわち逆送時に、一次側電圧算出装置２によって算出された一次側線間電圧を用いて、その自動電圧調整を行ってもよい。
【００１５】
調整変圧器１１は、複数のタップを有しており、一次側は一次側配電線４に接続され、二次側は二次側配電線５に接続されている。なお、各配電線４，５は、Ｕ，Ｖ，Ｗ三相の配電線である。また、調整変圧器１１は、通常、一次側に複数のタップを有している。その複数のタップのうち、通電に使用されるタップを通電タップと呼ぶことにする。調整変圧器１１は、図３で示されるように、各相の変圧器がスター結線されたものであってもよい。本実施の形態では、その場合について主に説明する。各相の変圧器は、例えば、単巻変圧器であってもよい。
【００１６】
タップ切替器１２は、タップ切替制御器１３から出力されるタップ切替指令に応じて、調整変圧器１１の通電タップを切り替える。図４は、ある相における単巻変圧器１１ａと、その単巻変圧器１１ａの通電タップを切り替えるタップ切替器１２ａとの構成の一例を示す図である。他の相についても、それぞれ同様の構成となっている。単巻変圧器１１ａの二次側は、タップｔｐ５に接続され、一次側は、タップ切替器１２ａによって、タップｔｐ１〜ｔｐ９のいずれかに接続される。タップ切替器１２ａによって接続されたタップが通電タップとなる。単巻変圧器１１ａは、一次側電圧Ｖ１を二次側電圧Ｖ２に変圧する。なお、図４では、タップ切替器１２ａによってタップｔｐ２のスイッチが投入されているため、タップｔｐ９からタップｔｐ５までが分路巻線となり、タップｔｐ５からタップｔｐ２までが直列巻線となって、一次側に対して二次側が降圧されることになる。タップ切替器１２ａは、スイッチを投入するタップの位置、すなわち通電タップを切り替えることにより、出力側の電圧を調整することができる。なお、タップｔｐ２の下方に存在する抵抗は、タップの切り替え時に用いられる限流抵抗である。タップ切替器１２は、相ごとに通電タップの切り替えを行い、その通電タップの切り替えを三相が連動するように行う。
【００１７】
タップ切替制御器１３は、調整変圧器１１の電圧の計測結果に応じてタップ切替器１２を制御する。タップ切替制御器１３は、順送時には、調整変圧器１１の二次側線間電圧を目標電圧に保つようにタップ切替器１２を制御する。そのため、タップ切替制御器１３は、調整変圧器１１の二次側線間電圧を用いて、タップ切替指令をタップ切替器１２に出力してもよい。その二次側線間電圧として、タップ切替制御器１３は、線間電圧測定部２１が有する計器用変圧器の出力電圧を用いてもよい。また、タップ切替制御器１３は、例えば、二次側線間電圧を測定する計器用変圧器の出力端子間に直列接続されている電圧調整継電器（９０リレー）と、二次側配電線５を流れる負荷電流を検出する変流器の出力が入力される線路電圧降下補償器（ＬＤＣ）とを備えていてもよい。タップ切替制御器１３は、逆送時には、調整変圧器１１の一次側線間電圧を目標電圧に保つようにタップ切替器１２を制御してもよい。そのため、タップ切替制御器１３は、一次側電圧算出部２７によって算出された一次側線間電圧を用いて、タップ切替指令をタップ切替器１２に出力してもよい。その際にも、タップ切替制御器１３は、一次側電流を用いて予測された、一次側配電線４における電圧降下を用いて補正した一次側線間電圧が目標電圧となるように制御してもよい。一次側の電圧降下の予測に用いられる一次側電流は、測定されたものであってもよく、後述する変形例２のように算出されたものであってもよい。なお、タップ切替制御器１３は、送電方向が順送であるのか、逆送であるのかを、判定部１４の判定結果を用いて判断してもよい。また、タップ切替制御器１３は、１つの線間電圧を用いて通電タップの切り替え制御を行ってもよく、複数の線間電圧を用いて通電タップの切り替え制御を行ってもよい。後者の場合には、タップ切替制御器１３は、例えば、複数の線間電圧の代表値が目標電圧に保たれるように制御を行ってもよい。代表値は、例えば、平均値や中央値等であってもよい。また、複数の線間電圧は、２つの線間電圧であってもよく、３つの線間電圧であってもよい。
【００１８】
判定部１４は、送電方向（変電所方向）に関する判定を行う。すなわち、判定部１４は、変電所が一次側にあるのか、または二次側にあるのかを判定する。変電所が一次側にあると判定された場合には送電方向が順送電となり、変電所が二次側にあると判定された場合には送電方向が逆送電となる。判定部１４は、例えば、タップ切替時の一次側電圧と二次側電圧との変化量の大小を用いて、変電所の方向を判定してもよい。通常、タップ切替に応じた電圧変動は、変電所の存在する側では小さくなり、変電所の存在しない側で大きくなるからである。なお、その判定方法を改良した方法が、例えば、特開２０００−２９５７７４号公報等に記載されている。タップ切替時の一次側電圧の変化量と二次側電圧の変化量との大小を用いて送電方向を判定する方法はすでに公知であり、その詳細な説明を省略する。
【００１９】
線間電圧測定部２１は、調整変圧器１１の複数の二次側線間電圧を測定する。複数の二次側線間電圧を測定するとは、線間電圧測定部２１が、３つの相の複数の異なる対に対応する二次側線間電圧をそれぞれ測定することである。線間電圧測定部２１は、２つの二次側線間電圧を測定してもよく、３つの二次側線間電圧を測定してもよい。本実施の形態では、前者の場合について主に説明する。特に、図５で示されるように、線間電圧測定部２１が、二次側のＶ相とＷ相との間の線間電圧と、二次側のＷ相とＵ相との間の線間電圧とをそれぞれ計器用変圧器を用いて測定する場合について主に説明する。線間電圧測定部２１によって測定される線間電圧は、時間変動する値である。線間電圧測定部２１によって測定された二次側線間電圧は、タップ切替制御器１３において、二次側の電圧調整のために用いられてもよい。その場合には、瞬時値である二次側線間電圧を用いて算出された実効値が電圧調整に用いられてもよい。
【００２０】
相電圧算出部２２は、線間電圧測定部２１によって測定された複数の二次側線間電圧を用いて、二次側相電圧を算出する。相電圧算出部２２は、１つの相の二次側相電圧を算出してもよく、または、複数の相の二次側相電圧を算出してもよい。ここでは、１つの相の二次側相電圧が算出される場合について主に説明し、複数の相の二次側相電圧が算出される場合については後述する。その二次側相電圧の相は、差電圧測定部２３が測定する差電圧の相と同じであることが好適である。二次側線間電圧から二次側相電圧を算出する方法について、図６のベクトル図を用いて説明する。図６のベクトル図において、一次側の三相を１Ｕ，１Ｖ，１Ｗとし、二次側の三相を２Ｕ，２Ｖ，２Ｗとしている。また、図６では、測定される電圧を実線で示しており、算出される電圧を破線で示している。配電系統の三相交流の線間電圧ベクトルが、仮想中性点（図中のＮ）を重心とした閉じた三角形であると仮定すると、２Ｖ相の相電圧に対応するベクトルＶ2Vは、次式のようになる。なお、ベクトルＶ2VWは、２Ｖ相と２Ｗ相との間の二次側線間電圧に対応しており、ベクトルＶ2WUは、２Ｗ相と２Ｕ相との間の二次側線間電圧に対応している。
【数１】
2018129920.tif 000003
【００２１】
また、電圧の瞬時値は、フェーザの実数軸に対応するため、線間電圧の瞬時値の加算、減算のみで相電圧を求めることができ、ベクトル演算は不要であることから、時間変動する２Ｖ相の相電圧は、次式のように算出することができる。
Ｖ2V＝２／３×（Ｖ2VW＋１／２×Ｖ2WU）
【００２２】
二次側線間電圧Ｖ2VW，Ｖ2WUが線間電圧測定部２１によって測定される場合には、相電圧算出部２２は、それらの線間電圧を用いることによって、二次側相電圧Ｖ2Vを算出することができる。なお、線間電圧測定部２１によって測定された二次側線間電圧Ｖ2VW，Ｖ2WUは時間変動する値であるため、二次側相電圧Ｖ2Vも時間変動する値となる。また、上式の右辺に含まれる二次側線間電圧は、線間電圧測定部２１によって測定されたものであってもよく、または、その測定された線間電圧から算出されたものであってもよい。
【００２３】
差電圧測定部２３は、調整変圧器１１の一次側相電圧と二次側相電圧との差である差電圧を測定する。その一次側相電圧と二次側相電圧とは、同じ相の相電圧である。本実施の形態では、差電圧測定部２３が、図５で示されるように、一次側の１Ｖ相の相電圧と、二次側の２Ｖ相の相電圧との差電圧を計器用変圧器を用いて測定する場合について主に説明する。差電圧測定部２３によって、例えば、図６で示されるベクトルＶ1V2Vに相当する電圧が算出されることになる。この差電圧も、時間変動する値である。
【００２４】
位相差測定部２４は、相電圧算出部２２によって算出された二次側相電圧と、差電圧測定部２３によって測定された差電圧との位相差を測定する。この位相差測定部２４によって、例えば、図６で示されるベクトルＶ2Vと、ベクトルＶ1V2Vとのなす角度に応じた位相差が取得されることになる。理論上は、両ベクトルの角度は０°か１８０°であるため、位相差も０°か１８０°になるはずであるが、現実には不平衡負荷などのため、測定される位相差も０°や１８０°からずれることがある。なお、位相差が０°の場合には調整変圧器１１によって降圧されており、位相差が１８０°の場合には調整変圧器１１によって昇圧されていることになる。その位相差の測定は、例えば、各電圧のゼロクロスの間隔をタイマでカウントすることによって行われてもよく、各電圧のピークの間隔をタイマでカウントすることによって行われてもよい。例えば、ゼロクロスの時間間隔やピークの時間間隔を三相交流の１周期で除算し、３６０°を乗算した結果が位相差（ｄｅｇ）となる。電圧のゼロクロスの検知は、例えば、対象となる電圧を、コンパレータによって０（Ｖ）と比較することによって行われてもよく、対象となる電圧の符号の変化タイミングを検知することによって行われてもよい。なお、位相差を測定するとは、位相差の大きさを測定することであってもよい。位相差測定部２４は、二次側相電圧と差電圧との位相差の平均を、位相差として測定してもよい。その平均は、例えば、１秒平均であってもよい。すなわち、位相差測定部２４は、次式のように、位相差εを、１サイクルごとの位相差ε（ｍ）を一秒分用いて算出してもよい。なお、西日本の場合には、１秒平均は６０サイクル平均となるため、ｍは、１から６０までの整数である。
【数２】
2018129920.tif 000004
なお、平均は、１秒以外の時間間隔における平均であってもよい。また、平均を算出しないで、１サイクルの値をそのまま用いてもよい。それらのことは、以下の説明において他の値の平均が算出される場合にも同様であるとする。
【００２５】
正規化部２５は、差電圧測定部２３によって測定された差電圧の大きさを線間電圧に変換した結果が、調整変圧器１１のタップ間電圧となるように差電圧に関する正規化を行う。なお、前述のように、差電圧測定部２３によって測定された差電圧は、時間変動する値である。したがって、正規化部２５は、差電圧の実効値の平均を算出し、その差電圧の実効値の平均を線間電圧に変換した結果が、タップ間電圧となるように正規化を行ってもよい。すなわち、差電圧の大きさとは、差電圧の実効値の平均値であってもよい。差電圧Ｖ1V2Vの実効値Ｖ1V2Vrmsの算出は、例えば、次のように行われてもよい。なお、Ｖ1V2V（ｔ）は、サンプリング時点ｔにおける差電圧の瞬時値であり、差電圧測定部２３によって測定される値である。１サイクルにおいて、ｔ＝１からｈまでの差電圧のサンプリングが行われるものとする。ここで、サンプリングの時間間隔をΔｔとすると、Δｔ×ｈは、１サイクルの周期となる。
【数３】
2018129920.tif 000005
【００２６】
また、その実効値を用いた平均値Ｖ1V2Vaveの算出は、例えば、次のように行われてもよい。次式では、差電圧の実効値Ｖ1V2Vrmsの１秒平均、すなわち６０サイクル平均が算出されている。
【数４】
2018129920.tif 000006
【００２７】
差電圧の大きさＶ1V2Vaveの線間電圧への変換は、Ｖ1V2Vaveに√３を乗算することによって行われてもよい。なお、√３は、３1/2を意味している。三相が平衡である場合には、そのようにして差電圧の大きさＶ1V2Vaveを線間電圧に変換できる。一方、三相が平衡でない場合には、相電圧に√３を乗算することによって線間電圧への変換が行われると、その変換結果は誤差を含むことになるが、その変換結果に正規化が行われることによって、その誤差の影響がなくなることになる。調整変圧器１１のタップ間電圧とは、調整変圧器１１の通電タップを変更した場合に変化する電圧の大きさである。例えば、調整変圧器１１の一次側電圧が一定であるとすると、通電タップを切り替えるごとに変化する二次側電圧の大きさが、タップ間電圧となる。タップ間電圧は、０以上の実数である。タップ間電圧は、１タップ間電圧（タップ幅）の整数倍となることが好適である。例えば、１タップ間電圧をＶTPrmsとすると、タップ間電圧は、ｎ×ＶTPrms（ｎは０以上の整数である）となることが好適である。そのタップ間電圧も線間電圧である。以下、ｎの値をタップ間隔と呼ぶこともある。
【００２８】
また、正規化とは、正規化の対象である値を、あらかじめ決められた複数の値のうち、その正規化の対象である値に最も近い値に変更することであってもよい。あらかじめ決められた複数の値に、正規化の対象である値と最も近い２個の値が存在する場合、すなわち、その正規化の対象である値が、あらかじめ決められた複数の値に含まれる２個の値のちょうど真ん中である場合には、その正規化の対象となる値に関しては、どちら側に正規化されてもよい。なお、どちら側に正規化するのかは、あらかじめ決まっていてもよい。
【００２９】
差電圧の大きさを線間電圧に変換した結果が調整変圧器１１のタップ間電圧となるように正規化する処理は、差電圧の大きさＶ1V2Vaveを線間電圧に変換した結果である√３×Ｖ1V2Vaveが、結果として、その√３×Ｖ1V2Vaveに最も近いタップ間電圧となるのであれば、どのような処理であってもよい。その正規化は、例えば、差電圧の大きさを線間電圧に変換した結果に対して行われてもよく、差電圧の大きさに対して行われてもよい。前者の場合には、√３×Ｖ1V2Vaveを正規化することになり、正規化の結果はいずれかのタップ間電圧となる。後者の場合には、Ｖ1V2Vaveを正規化することになり、正規化の結果は、いずれかのタップ間電圧を√３で割ったものになる。具体的には、タップ間電圧が１タップ間電圧の整数倍であり、１タップ間電圧が７５（Ｖrms）であり、差電圧の大きさを線間電圧に変換した結果である√３×Ｖ1V2Vaveが正規化の対象である場合には、正規化の対象となる線間電圧１７０（Ｖrms）は、１５０（Ｖrms）に正規化されることになる。その場合には、あらかじめ決められた複数の値は、０，７５，１５０，２２５，…（Ｖrms）となり、正規化の対象である線間電圧１７０（Ｖrms）に最も近いのは１５０（Ｖrms）であるからである。その正規化後の値を用いることによって、調整変圧器１１の通電タップに関する一次側と二次側とのタップの間隔（ｎ）を知ることができる。したがって、正規化後の値と、通電タップに関する一次側と二次側とのタップ間隔またはタップ間電圧とは、一対一に対応していることになる。
【００３０】
また、正規化部２５は、位相差測定部２４によって測定された位相差εが０°または１８０°となるように位相差の正規化を行う。その正規化後の位相差を、ε(n)とする。なお、差電圧の大きさに関する正規化後の値からは、一次側と二次側との差電圧の大きさ（≧０）しか知ることができないため、調整変圧器１１において昇圧が行われているのか、降圧が行われているのかは分からないことになる。一方、その昇圧と降圧とは、正規化後の位相差から知ることができる。すなわち、正規化後の位相差が０°であれば、降圧が行われており、正規化後の位相差が１８０°であれば、昇圧が行われていることになる。なお、位相差は、度（ｄｅｇ）で示されてもよく、ラジアン（ｒａｄ）で示されてもよいことは言うまでもない。したがって、位相差εが０°または１８０°（ｄｅｇ）に正規化されることは、位相差εが０またはπ（ｒａｄ）に正規化されることと同じである。
【００３１】
特定部２６は、差電圧に関する正規化後の値を用いて、調整変圧器１１の通電タップに応じたターン数差比を特定する。ここで、通電タップに応じたターン数差比は、通電タップに応じた一次側ターン数と二次側ターン数との差の絶対値の二次側ターン数に対する比である。図４の調整変圧器１１において、タップｔｐｋ（ただし、ｋは１〜９の整数である）が通電タップとなっている場合に、一次側ターン数がｎ１kであり、二次側ターン数がｎ２kであるとすると、ターン数差比Δｎは、
Δｎ＝｜ｎ１k−ｎ２k｜／ｎ２k
であってもよい。ターン数差比は、通電タップごとに異なることになる。ターン数差比と、調整変圧器１１の通電タップに関する一次側と二次側とのタップ間隔またはタップ間電圧とは、一対一に対応している。したがって、結果として、差電圧に関する正規化後の値と、ターン数差比とは一対一に対応することになる。そのため、特定部２６は、差電圧に関する正規化後の値を用いて、ターン数差比を特定することができる。特定部２６は、例えば、差電圧に関する正規化後の値とターン数差比とを一対一に対応付ける情報（例えば、両者を対応付けるテーブル等）を用いて、差電圧に関する正規化後の値に対応するターン数差比を特定してもよい。そのターン数差比の特定は、例えば、特定対象のターン数差比を記録媒体に蓄積することによって行われてもよく、特定対象のターン数差比に対応付けてフラグ等の情報を設定することによって行われてもよい。
【００３２】
なお、差電圧に関する正規化と、その正規化の結果を用いたターン数差比の特定とは、一連の処理として一括して行われてもよい。差電圧に関する正規化後の値と、ターン数差比とは、一対一に対応しているため、差電圧に関する正規化後の値を特定し、その特定した正規化後の値に対応するターン数差比を特定することに代えて、差電圧の大きさを用いて、差電圧に関する正規化後の値に対応するターン数差比を直接、特定することも可能である。また、後述するように、一次側線間電圧の算出で用いられるのは、正規化後の位相差ε(n)そのものではなく、ｃｏｓ（ε(n)）である。したがって、位相差の正規化と、その正規化の結果ε(n)を用いたｃｏｓ（ε(n)）の算出とは、一連の処理として一括して行われてもよい。位相差の正規化の結果ε(n)と、ｃｏｓ（ε(n)）とは、一対一に対応しているため、正規化後の位相差ε(n)を特定し、その特定した正規化後の位相差に対応するｃｏｓ（ε(n)）を算出することに代えて、位相差εを用いて、正規化後の位相差ε(n)の余弦（ｃｏｓ）を直接、算出することも可能である。上記のように、差電圧の大きさから直接、ターン数差比が特定されたり、位相差から直接、正規化後の位相差の余弦が算出されたりする場合には、正規化は、間接的に行われることになる。したがって、正規化部２５による上記の差電圧に関する正規化や位相差の正規化は、そのように間接的に行われるものを含むと考えてもよい。
【００３３】
一次側電圧算出部２７は、二次側線間電圧Ｖ2VWと、特定部２６によって特定されたターン数差比Δｎと、正規化後の位相差ε(n)とを用いて、次式のように、１Ｖ相と１Ｗ相との間の一次側線間電圧Ｖ1VWを算出する。
Ｖ1VW＝Ｖ2VW＋ｃｏｓ（ε(n)）×Δｎ×Ｖ2VW
【００３４】
ここで、Ｖ2VWは、線間電圧測定部２１によって測定された二次側のＶ相とＷ相との間の線間電圧の実効値の平均であってもよい。その実効値の平均は、例えば、Ｖ1V2Vaveと同様にして算出されてもよい。上式で用いられる二次側線間電圧が実効値である場合には、算出される一次側線間電圧も実効値となる。一次側電圧算出部２７によって算出された一次側線間電圧は、上述のように、調整変圧器１１の一次側電圧を調整する際に用いられてもよい。その場合には、算出された一次側線間電圧は、タップ切替制御器１３に出力されてもよい。また、算出された一次側線間電圧は、その他の用途に用いられてもよい。また、一次側電圧算出部２７が一次側線間電圧の算出に用いる二次側線間電圧は、線間電圧測定部２１によって測定されたものであってもよく、または、算出されたものであってもよい。線間電圧測定部２１によって、複数の線間電圧が測定されるため、ある相間の線間電圧が測定されていなくても、その測定されていない線間電圧を、他の２つの線間電圧の測定結果を用いて算出することができる。具体的には、二次側線間電圧Ｖ2VW、Ｖ2WUが測定されている場合には、二次側線間電圧Ｖ2VW、Ｖ2WUを用いて二次側線間電圧Ｖ2UVを算出することができる。したがって、一次側電圧算出部２７は、算出結果である二次側線間電圧を用いて、一次側線間電圧を算出してもよい。また、一次側電圧算出部２７は、上記のように一次側線間電圧Ｖ1VWを算出してもよく、１Ｗ相と１Ｕ相との間の一次側線間電圧Ｖ1WUを算出してもよく、１Ｕ相と１Ｖ相との間の一次側線間電圧Ｖ1UVを算出してもよく、または、それらの任意の２以上の組み合わせの一次側線間電圧を算出してもよい。例えば、一次側電圧算出部２７は、３つの一次側線間電圧、すなわちすべての一次側線間電圧を算出してもよい。
【００３５】
なお、一次側電圧算出装置２は、一次側の電圧調整を行う逆送時にのみ、一次側線間電圧の算出を行ってもよく、または、順送時、逆送時に関わらず、一次側線間電圧の算出を行ってもよい。
【００３６】
次に、図１Ａで示される一次側電圧算出装置２の動作の一例について、図２Ａのフローチャートを用いて説明する。
（ステップＳ１０１）線間電圧測定部２１は、複数の二次側線間電圧を測定する。なお、二次側線間電圧の測定は継続して行われるため、複数の二次側線間電圧を測定するとは、複数の二次側線間電圧の測定を開始することであると考えてもよい。
【００３７】
（ステップＳ１０２）相電圧算出部２２は、複数の二次側線間電圧を用いて、二次側相電圧を算出する。この二次側相電圧の算出も継続して行われるため、二次側相電圧を算出するとは、二次側相電圧の算出を開始することであると考えてもよい。
【００３８】
（ステップＳ１０３）差電圧測定部２３は、一次側相電圧と二次側相電圧との差電圧を測定する。その一次側相電圧と、二次側相電圧とは、同じ相の電圧である。また、その相と、ステップＳ１０２で算出される二次側相電圧の相とは一致していてもよい。この差電圧の測定も継続して行われるため、差電圧を測定するとは、差電圧の測定を開始することであると考えてもよい。
【００３９】
（ステップＳ１０４）位相差測定部２４は、算出された二次側相電圧と、測定された差電圧との位相差を測定する。その位相差の測定は、例えば、位相差の平均値の測定であってもよい。
【００４０】
（ステップＳ１０５）正規化部２５は、差電圧に関する正規化と、位相差の正規化とを行う。その差電圧は、例えば、実効値の平均値であってもよい。
【００４１】
（ステップＳ１０６）特定部２６は、差電圧に関する正規化の結果を用いて、ターン数差比を特定する。
【００４２】
（ステップＳ１０７）一次側電圧算出部２７は、二次側線間電圧と、ターン数差比と、正規化後の位相差とを用いて一次側線間電圧を算出する。なお、その一次側線間電圧は、その算出に用いられる二次側線間電圧と同じ線間の電圧である。その二次側線間電圧は、例えば、実効値の平均値であってもよい。算出された一次側線間電圧は、一次側の電圧調整に用いられてもよい。
【００４３】
なお、図２Ａのフローチャートにおいて、例えば、ステップＳ１０４〜Ｓ１０７の処理は、逆送電の期間において繰り返して実行されてもよい。また、一次側線間電圧の算出を終了する場合、例えば、逆送電から順送電に切り替わった場合には、線間電圧測定部２１による二次側線間電圧の測定や、相電圧算出部２２による二次側相電圧の算出、差電圧測定部２３による差電圧の測定は終了されてもよい。また、図２Ａのフローチャートにおける処理の順序は一例であり、同様の結果を得られるのであれば、各ステップの順序を変更してもよい。
【００４４】
［変形例１］
上記実施の形態では、１つの相についてのみ正規化が行われる場合について説明したが、そうでなくてもよい。例えば、正規化部２５は、複数の相について正規化を行ってもよい。図１Ｂは、正規化部２５が複数の相について正規化を行う一次側電圧算出装置２を有する自動電圧調整器１の構成を示すブロック図である。図１Ｂにおいて、一次側電圧算出装置２は、線間電圧測定部２１と、相電圧算出部２２と、差電圧測定部２３と、位相差測定部２４と、正規化部２５と、特定部２６と、一次側電圧算出部２７と、異常検知部３１と、出力部３２とを備える。なお、異常検知部３１及び出力部３２以外の構成及び動作は、線間電圧測定部２１が３つの二次側線間電圧を測定し、相電圧算出部２２が複数の相の二次側相電圧を算出し、差電圧測定部２３が複数の相の差電圧を測定し、位相差測定部２４が複数の相の位相差を測定し、正規化部２５が複数の相について正規化を行う以外は、上記実施の形態と同様である。また、３つの二次側線間電圧は、二次側のすべての相間の線間電圧のことである。また、複数の相は、２つの相であってもよく、３つの相であってもよい。また、相電圧算出部２２が二次側相電圧を算出する複数の相と、差電圧測定部２３が差電圧を測定する複数の相と、正規化部２５が正規化を行う複数の相とは同じであってもよい。また、３つの二次側線間電圧を用いて複数の二次側相電圧を算出する場合に、相電圧算出部２２は、各二次側相電圧の算出に、それぞれ異なる二次側線間電圧の組み合わせを用いることが好適である。各線間に関する異常を検知できるようにするためである。例えば、二次側相電圧算出部２２は、次式のようにして３つの相の二次側相電圧を算出してもよい。
Ｖ2U＝２／３×（Ｖ2UV＋１／２×Ｖ2VW）
Ｖ2V＝２／３×（Ｖ2VW＋１／２×Ｖ2WU）
Ｖ2W＝２／３×（Ｖ2WU＋１／２×Ｖ2UV）
【００４５】
異常検知部３１は、正規化の結果が相間で異なる場合に、異常を検知する。すなわち、異常検知部３１は、差電圧に関する正規化の結果が相間で異なる場合に異常を検知し、また、位相差に関する正規化の結果が相間で異なる場合に異常を検知することになる。差電圧に関する正規化の結果がすべての相で同じであり、かつ、位相差に関する正規化の結果がすべての相で同じである場合には、異常検知部３１は、異常を検知しないことになる。なお、すべての相とは、正規化の行われた複数の相に関するすべての相の意味である。通常、自動電圧調整器１が正常に動作している場合には、差電圧に関する正規化の結果がすべての相で同じとなり、また、位相差に関する正規化の結果がすべての相で同じとなるはずであるが、例えば、いずれかの接点や計器用変圧器、調整変圧器１１、その他の構成要素等に異常が発生している場合には、そのようにならないこともある。したがって、上記のようにして、自動電圧調整器１における異常を検知することができる。
【００４６】
出力部３２は、異常検知部３１によって異常が検知された場合に、異常の検知に関する出力を行う。この出力は、例えば、表示デバイス（例えば、液晶ディスプレイなど）への表示でもよく、所定の機器への通信回線を介した送信でもよく、スピーカによる音声出力でもよく、記録媒体への蓄積でもよく、他の構成要素への引き渡しでもよい。なお、出力部３２は、出力を行うデバイス（例えば、表示デバイスや通信デバイスなど）を含んでもよく、または含まなくてもよい。また、出力部３２は、ハードウェアによって実現されてもよく、または、それらのデバイスを駆動するドライバ等のソフトウェアによって実現されてもよい。また、異常の検知に関する出力は、異常が検知された旨の出力であってもよく、異常の検知に応じたあらかじめ決められた処理や制御等のための出力であってもよい。異常が検知された旨の出力は、例えば、自動電圧調整器１の管理者や、自動電圧調整器１を管理しているシステム等に対して行われてもよい。また、異常が検知された旨の出力が行われる場合には、例えば、正規化の結果が、他の２つの相と一致しなかった相を特定できる情報（例えば、他の２つの相と一致しなかったのはＶ相である旨など）が出力内容に含まれていてもよい。また、異常の検知に応じたあらかじめ決められた処理や制御等のための出力が行われる場合には、出力部３２は、例えば、調整変圧器１１の通電タップを素通し固定にするための出力をタップ切替制御器１３に行ってもよい。また、出力部３２は、異常が検知されていない場合に、異常を検知していないことに関する出力を行ってもよく、または、そのような出力を行わなくてもよい。前者の場合には、例えば、異常が検知されていないときに、異常がない旨、すなわち正常である旨の出力が行われてもよく、正常である場合に行われる処理や制御等のための出力が行われてもよい。
【００４７】
なお、異常が検知された場合には、所定の時間後に再度、異常の検知を行うようにしてもよい。そして、あらかじめ決められた回数だけ連続して異常が検知された場合に、異常の検知に関する出力を行うようにしてもよい。例えば、ある時点において負荷が不平衡になり異常が検知されたとしても、その後に平衡負荷となることによって異常が検知されなくなることもあり得るからである。
【００４８】
図２Ｂは、図１Ｂで示される一次側電圧算出装置２の動作の一例を示すフローチャートである。図２Ｂのフローチャートにおいて、ステップＳ２０１，Ｓ２０２以外の処理は、線間電圧測定部２１が３つの二次側線間電圧を測定し、相電圧算出部２２が複数の相の二次側相電圧を算出し、差電圧測定部２３が複数の相の差電圧を測定し、位相差測定部２４が複数の相の位相差を測定し、正規化部２５が複数の相について正規化を行う以外は、図２Ａのフローチャートと同様であり、それらの説明を省略する。
【００４９】
（ステップＳ２０１）異常検知部３１は、正規化の結果が相間で一致しているかどうか判断する。そして、正規化の結果が相間で一致している場合には、ステップＳ１０６に進み、相間で一致していない場合、すなわち差電圧と位相差との少なくとも一方について、相間での異なりがある場合には、ステップＳ２０２に進む。
【００５０】
（ステップＳ２０２）出力部３２は、異常検知に関する出力を行う。そして、一連の処理は終了となる。
なお、図２Ｂのフローチャートでは、異常が検知された場合には、一次側線間電圧の算出を行わないとしたが、そうでなくてもよい。異常が検知されても、一次側線間電圧の算出を行ってもよい。その場合には、ステップＳ２０２からステップＳ１０６に進んでもよい。なお、異常が検知された場合には、正規化の結果が相間で異なっている。したがって、特定部２６や一次側電圧算出部２７は、あらかじめ決められた相の正規化の結果を用いて処理を行ってもよく、他の相の正規化の結果と共通している正規化の結果を用いて処理を行ってもよい。
【００５１】
また、変形例１では、差電圧に関する正規化の結果と、位相に関する正規化の結果との両方を用いて異常の検知が行われる場合について説明したが、そうでなくてもよい。一方の正規化の結果のみを用いて異常の検知が行われてもよい。
【００５２】
［変形例２］
一次側電圧算出装置２において、一次側電流の算出も行ってもよい。図１Ｃは、一次側電流の算出も行う一次側電圧算出装置２の構成を示すブロック図である。図１Ｃにおいて、一次側電圧算出装置２は、線間電圧測定部２１と、相電圧算出部２２と、差電圧測定部２３と、位相差測定部２４と、正規化部２５と、特定部２６と、一次側電圧算出部２７と、電流測定部４１と、一次側電流算出部４２とを備える。なお、電流測定部４１及び一次側電流算出部４２以外の構成及び動作は、上記実施の形態と同様である。
【００５３】
電流測定部４１は、二次側電流を測定する。調整変圧器１１がスター結線である場合には、相電流と線電流とは等しいため、測定対象の二次側電流は、二次側相電流であると考えてもよく、二次側線電流であると考えてもよい。電流測定部４１は、１つ二次側電流を測定してもよく、２つの二次側電流を測定してもよく、３つの二次側電流を測定してもよい。なお、電流測定部４１は、測定した二次側電流の実効値の平均を算出してもよい。その実効値の平均は、例えば、Ｖ1V2Vaveと同様にして算出されてもよい。なお、タップ切替制御器１３が二次側線間電圧を用いた制御を行う場合には、例えば、上述のように負荷電流を検出する変流器の出力がＬＤＣに入力される。したがって、電流測定部４１は、例えば、その変流器の出力を用いて二次側電流を測定してもよく、別の変流器の出力を用いて二次側電流を測定してもよい。
【００５４】
一次側電流算出部４２は、２Ｖ相の二次側電流Ｉ2Vと、特定部２６によって特定されたターン数差比Δｎと、正規化後の位相差ε(n)とを用いて、次式のように、１Ｖ相の一次側電流Ｉ1Vを算出する。二次側電流Ｉ2Vは、２Ｖ相の二次側電流の実効値の平均であってもよい。
Ｉ1V＝Ｉ2V／｛１＋ｃｏｓ（ε(n)）×Δｎ｝
【００５５】
上式で用いられる二次側電流が実効値である場合には、算出される一次側電流も実効値となる。一次側電流算出部４２によって算出された一次側電流は、例えば、調整変圧器１１の一次側の電圧調整を行う際の電圧降下の予測に用いられてもよく、送電方向の判定（変電所方向の判定）に用いられてもよく、相ごとの負荷分散に用いられてもよく、自動電圧調整器１の一次側電圧のモニタのために用いられてもよい。また、一次側電流算出部４２が一次側電流の算出に用いる二次側電流は、電流測定部４１によって測定されたものであってもよく、または、測定結果を用いて算出されたものであってもよい。また、一次側電流算出部４２は、上記のように一次側電流Ｉ1Vを算出してもよく、１Ｕ相の一次側電流Ｉ1Uを算出してもよく、１Ｗ相の一次側電流Ｉ1Wを算出してもよく、それらの任意の２以上の組み合わせの一次側電流を算出してもよい。なお、一次側電流算出部４２は、一次側の電圧調整を行う逆送時にのみ、一次側電流の算出を行ってもよく、または、順送時、逆送時に関わらず、一次側電流の算出を行ってもよい。
【００５６】
図２Ｃは、図１Ｃで示される一次側電圧算出装置２の動作の一例を示すフローチャートである。図２Ｃのフローチャートにおいて、ステップＳ３０１，Ｓ３０２以外の処理は、図２Ａのフローチャートと同様であり、その説明を省略する。
【００５７】
（ステップＳ３０１）電流測定部４１は、二次側電流を測定する。その二次側電流の測定は、例えば、二次側電流の実効値の平均の測定であってもよい。
【００５８】
（ステップＳ３０２）一次側電流算出部４２は、二次側電流と、ターン数差比と、正規化後の位相差とを用いて一次側電流を算出する。なお、その一次側電流は、その算出に用いられる二次側電流と同じ相の電流である。
【００５９】
なお、変形例１，２について説明したが、それらは組み合わされてもよい。すなわち、一次側電圧算出装置２において、異常検知と、一次側電流の算出との両方が行われてもよい。その場合には、一次側電圧算出装置２は、線間電圧測定部２１と、相電圧算出部２２と、差電圧測定部２３と、位相差測定部２４と、正規化部２５と、特定部２６と、一次側電圧算出部２７と、異常検知部３１と、出力部３２と、電流測定部４１と、一次側電流算出部４２とを備えていてもよい。
【００６０】
以上のように、本実施の形態による自動電圧調整器１によれば、高精度なベクトル演算を行わなくても、差電圧や位相差に関する正規化を行うことによって、一次側線間電圧を高精度に算出することができる。したがって、一次側線間電圧の算出において、演算負荷の低減と、精度の向上とを両立させることができる。また、変形例１のように、複数の相に関する正規化を行った場合には、その正規化の結果を用いることによって、異常検知を行うこともできる。そして、異常が検知された場合には、例えば、その異常を管理者等に通知したり、また、調整変圧器１１の通電タップを素通しに固定したりすることができる。また、変形例２のように、二次側電流を測定した場合には、その二次側電流を用いて一次側電流を算出することもできる。その場合には、一次側電流を、別途、測定する必要がなくなる。また、調整変圧器１１が、現在の通電タップの位置を検出できるものでなくても、一次側電圧算出装置２は、一次側電圧を算出することができることになる。また、自動電圧調整器１の制御対象は線間電圧であるため、一次側電圧算出部２７によって一次側線間電圧を算出することにより、ＳＶＲの実態に応じた一次側電圧の算出を実現できることになる。
【００６１】
なお、上記実施の形態では、一次側電圧算出装置２によって算出された一次側線間電圧が自動電圧調整器１において一次側線間電圧の調整のために用いられる場合について説明したが、そうでなくてもよい。一次側電圧算出装置２によって算出された一次側線間電圧は、自動電圧調整器１における一次側線間電圧の調整以外の目的のために用いられてもよい。
【００６２】
また、上記実施の形態において、電圧や電流の実効値が算出される場合について説明したが、実効値に代えてピーク値が算出されてもよい。ピーク値が算出される場合には、ピーク値に応じた正規化等が行われることが好適である。
【００６３】
また、上記実施の形態において、各処理または各機能は、単一の装置または単一のシステムによって集中処理されることによって実現されてもよく、または、複数の装置または複数のシステムによって分散処理されることによって実現されてもよい。
【００６４】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、または、その情報の受け渡しを行う２個の構成要素が物理的に同じものである場合には、一方の構成要素に対応する処理のフェーズから、他方の構成要素に対応する処理のフェーズに移ることによって行われてもよい。
【００６５】
また、上記実施の形態において、各構成要素が実行する処理に関係する情報、例えば、各構成要素が受け付けたり、取得したり、選択したり、生成したり、送信したり、受信したりした情報や、各構成要素が処理で用いる閾値や数式、アドレス等の情報等は、上記説明で明記していなくても、図示しない記録媒体において、一時的に、または長期にわたって保持されていてもよい。また、その図示しない記録媒体への情報の蓄積を、各構成要素、または、図示しない蓄積部が行ってもよい。また、その図示しない記録媒体からの情報の読み出しを、各構成要素、または、図示しない読み出し部が行ってもよい。
【００６６】
また、上記実施の形態において、各構成要素等で用いられる情報、例えば、各構成要素が処理で用いる閾値やアドレス、各種の設定値等の情報がユーザによって変更されてもよい場合には、上記説明で明記していなくても、ユーザが適宜、それらの情報を変更できるようにしてもよく、または、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００６７】
また、上記実施の形態で説明した各構成要素のうち、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、記憶部や記録媒体にアクセスしながらプログラムを実行してもよい。また、そのプログラムは、サーバなどからダウンロードされることによって実行されてもよく、所定の記録媒体（例えば、磁気ディスクや半導体メモリなど）に記録されたプログラムが読み出されることによって実行されてもよい。
【００６８】
また、本発明は、以上の実施の形態に限定されることなく、種々の変更が可能であり、それらも本発明の範囲内に包含されるものであることは言うまでもない。
【産業上の利用可能性】
【００６９】
以上より、本発明による一次側電圧算出装置等によれば、一次側線間電圧の算出において、演算負荷の低減と精度の向上とを両立できるという効果が得られ、例えば、自動電圧調整器において一次側線間電圧を算出する装置等として有用である。
【符号の説明】
【００７０】
１  自動電圧調整器
２  一次側電圧算出装置
１１  調整変圧器
１２  タップ切替器
１３  タップ切替制御器
１４  判定部
２１  線間電圧測定部
２２  相電圧算出部
２３  差電圧測定部
２４  位相差測定部
２５  正規化部
２６  特定部
２７  一次側電圧算出部
３１  異常検知部
３２  出力部
４１  電流測定部
４２  一次側電流算出部
【図１Ａ】
2018129920.tif 000007
【図１Ｂ】
2018129920.tif 000008
【図１Ｃ】
2018129920.tif 000009
【図２Ａ】
2018129920.tif 000010
【図２Ｂ】
2018129920.tif 000011
【図２Ｃ】
2018129920.tif 000012
【図３】
2018129920.tif 000013
【図４】
2018129920.tif 000014
【図５】
2018129920.tif 000015
【図６】
2018129920.tif 000016